(57)【要約】【課題】部材数の減少化、部材の共通化、組立作業の簡単化を図ることができ、結果として製造コストを低減させることができるドーム状構造物を提供する。【解決手段】三角形の各辺に相当する位置に設けられている３本のフレーム部材50の端部同士を連結することにより構成される三角形構造体40が、複数個、立体的に連設されることによりドーム状に形成されたドーム状構造物10であって、三角形構造体40の３つのフレーム部材50のうち２つのフレーム部材50間には、両者を連結するブロッキング材140が設けられ、フレーム部材50の構造計算上、座屈防止上有効な位置にブロッキング材140が配置されたことによって三角形構造体40を覆う構造用面材を不要としたことを特徴とする。【選択図】図６
2014066112.tif 000002
【特許請求の範囲】
【請求項１】
三角形の各辺に相当する位置に設けられている３本のフレーム部材の端部同士を連結することにより構成される三角形構造体が、複数個、立体的に連設されることによりドーム状に形成されたドーム状構造物であって、
前記三角形構造体の３つの前記フレーム部材のうち２つの前記フレーム部材間には、両者を連結するブロッキング材が設けられ、
前記フレーム部材の構造計算上、座屈防止上有効な位置に前記ブロッキング材が配置されたことによって前記三角形構造体を覆う構造用面材を不要としたことを特徴とするドーム状構造物。
【請求項２】
前記三角形構造体の３つの前記フレーム部材のうち前記ブロッキング材が連結されていない残りの１つの前記フレーム部材と、前記ブロッキング材との間には、両者を連結するサブブロッキング材が設けられていることを特徴とする請求項１記載のドーム状構造物。
【発明の詳細な説明】
【技術分野】
【０００１】
本発明は、ドーム状に形成されるドーム状構造物に関する。
【背景技術】
【０００２】
従来から、略半球形状の外観を有するドーム状構造物として、ジオデシックドーム（あるいはフラードーム）と呼ばれるようなドームがある。具体的にはたとえば３本のフレーム部材からなる三角形構造体が、複数個、隙間なく立体的に連設されることで、トラス骨格を形成するとともに略半球状（ドーム状）に形成されたものが利用されている。この三角形構造体の室外側の面を覆う室外側面状体と、三角形構造体の室内側の面を覆う室内側面状体とが、三角形構造体の内外面に形成されている。この三角形構造体の内部には、断熱材が充填されることにより良好な断熱性能が得られる。このように形成されることにより、フレーム部材が木質であっても充分な強度を発揮するうえ著しく軽量にできる。これにより、ドーム状構造物は、地震や台風等の災害でも容易に倒壊することがない優れた耐震性や、耐風性を確保することができる。
【０００３】
従来、ドーム状構造物は、展示場等の使用目的で比較的、大型の建築物に使用されてきたが、近年、コンパクトな構造で小型の一般住宅としての需要が増加している（たとえば、特許文献１）。
ところで、ドーム状構造物においては、室外側面状体を構造用合板とすることにより、フレーム部材の座屈止めをその構造用合板に負担させていた。
【先行技術文献】
【特許文献】
【０００４】
【特許文献１】特開２００７−２９１７３１号公報
【発明の概要】
【発明が解決しようとする課題】
【０００５】
従来のドーム状構造物における各三角形構造体には、構造用面材（耐力壁）としての室外側面状体が取り付けられている。この室外側面状体を各三角形構造体の寸法形状に適合したものを作成して組立現場において取り付けるには、手間がかかるものであった。
具体的には、室外側面状と、室内側面状体との間には、三角形構造体のフレーム部材間に多数の下地材を設けている。これらのフレーム部材や下地材に対して構造用面材（耐力壁）としての室外側面状体を固定して、三角形構造体の室外側を覆うようにフレーム部材に沿って三角形の構造用面材を配置している。各三角形構造体の三角形の形状に適合する構造用面材を作成して、この構造用面材を各三角形構造体へ取り付けるための手間がかかり組立作業が繁雑になるという問題点があった。
【０００６】
請求項１記載の発明は、上記した従来の技術の有する問題点に鑑みてなされたものであり、その目的とするところは、部材数の減少化、部材の共通化、組立作業の簡単化を図ることができ、結果として製造コストを低減させることができるドーム状構造物を提供することを目的とする。
【０００７】
請求項２記載の発明は、上記した請求項１記載の発明の目的に加え、三角形構造体の剛性を高めることができるドーム状構造物を提供することを目的とする。
【課題を解決するための手段】
【０００８】
（請求項１）
請求項１記載の発明は、三角形の各辺に相当する位置に設けられている３本のフレーム部材50の端部同士を連結することにより構成される三角形構造体40が、複数個、立体的に連設されることによりドーム状に形成されたドーム状構造物10であって、前記三角形構造体40の３つの前記フレーム部材50のうち２つの前記フレーム部材50間には、両者を連結するブロッキング材140が設けられ、前記フレーム部材50の構造計算上、座屈防止上有効な位置に前記ブロッキング材140が配置されたことによって前記三角形構造体40を覆う構造用面材を不要としたことを特徴とする。
ここで、「ブロッキング材140」は、１つの三角形構造体40の内部に複数設けてもよいものである。その際、「ブロッキング材140」が設けられる「前記三角形構造体40の３つの前記フレーム部材50のうち２つの前記フレーム部材50」は、１つの三角形構造体40の内部で常に固定されたものでもよく（たとえば左辺と右辺との間に複数設ける）、３つのフレーム部材50から２つのフレーム部材50を選択する組み合わせのうちから適宜選択してもよい（たとえば左辺と底辺との間、左辺と右辺との間、右辺と底辺との間にそれぞれ設ける）。
ここで、「前記フレーム部材50の構造計算上、座屈防止上有効な位置に前記ブロッキング材140が配置され」とは、前記フレーム部材50が座屈するときの座屈長さを抑えることによってフレーム部材50に加わる荷重によって生じる座屈の発生を抑えることができるような位置にブロッキング材140が配置されていることを意味する。具体的には、たとえば長尺状のフレーム部材50が弱軸回りに変形しようとするのを抑えて座屈を防止することができるような位置にブロッキング材140が配置されるものである。フレーム部材50がかかる方向に変形移動しようとするのをブロッキング材140が拘束することにより変形を抑えて座屈を防止することができるようにしているものである。
【０００９】
本発明では、前記フレーム部材50の構造計算上、座屈防止上有効な位置にブロッキング材140が配置されたことによって、前記フレーム部材50間に渡される構造用面材が不要となる。このブロッキング材140は下地材としても利用できる。これにより、ブロッキング材140に構造用面材と下地材との両方の機能を持たせることができ、部材数の減少や、部材の共通化を図ることができる。また、構造用面材が不要となることにより、構造用面材を取り付けるための手間も不要となり、組立作業も簡単にすることができる。結果として製造コストの低減化を図ることができる。
【００１０】
（請求項２）
請求項２記載の発明は、上記した請求項１記載の発明の特徴点に加え、次の点を特徴とする。すなわち、前記三角形構造体40の３つの前記フレーム部材50のうち前記ブロッキング材140が連結されていない残りの１つの前記フレーム部材50と、前記ブロッキング材140との間には、両者を連結するサブブロッキング材164が設けられていることを特徴とする。
【００１１】
サブブロッキング材164が、三角形構造体40の３つのフレーム部材50のうちブロッキング材140が連結されていない残りの１つのフレーム部材50と、ブロッキング材140との間を連結していることにより、両者の間隔が変動することが抑えられて両者が拘束される。これにより、フレーム部材50のみならず、ブロッキング材140の剛性も高めて、フレーム部材50とブロッキング材140とを組み合わせた状態で全体として三角形構造体40の剛性を高めることができる。
【発明の効果】
【００１２】
本発明は、以上のように構成されているので、以下に記載されるような効果を奏する。
請求項１記載の発明によれば、部材数の減少化、部材の共通化、組立作業の簡単化を図ることができ、結果として製造コストを低減させることができるドーム状構造物を提供することができる。
請求項２記載の発明によれば、上記した請求項１記載の発明の効果に加え、三角形構造体の剛性を高めることができるドーム状構造物を提供することができる。
【図面の簡単な説明】
【００１３】
【図１】本発明の実施の形態であって、ドーム状構造物の三角形構造体を示す外観斜視図である。
【図２】本発明の実施の形態であって、ドーム状構造物の三角形構造体を示す外観側面図である。
【図３】本発明の実施の形態であって、ドーム状構造物の三角形構造体を示す外観平面図である。
【図４】本発明の実施の形態であって、室内側から見た三角構造体のフレーム部材及びコネクタを示す外観図である。
【図５】本発明の実施の形態であって、一部の三角形構造体のフレーム部材及びブロッキング材の配置を示す外観斜視図である。
【図６】本発明の実施の形態であって、一部の三角形構造体のフレーム部材及びブロッキング材の配置を示す拡大外観斜視図である。
【発明を実施するための形態】
【００１４】
図１、図２及び図３に示すように、実施の形態に係るドーム状構造物10には、周囲をドーム状（半球状）に覆うドーム壁520が設けられている。ドーム状構造物10の頂部には、ドーム壁520の頂上部分から立ち上がる五角筒状の立設壁420とこの立設壁420の頂部間を覆う屋根440とによりキューポラ400が設けられている。なお、本実施の形態に係るドーム状構造物10は、キューポラ400を有するものに限定されるものではなく、キューポラ400を有さないドーム状構造物10にも適用することができる。
前記ドーム壁520は、三角形の各辺に相当する位置にそれぞれ設けられている３本のフレーム部材50の端部同士を連結することにより構成される三角形構造体40が複数個、隙間なく立体的に連設されることによりドーム状に形成されている。
【００１５】
キューポラ400の立設壁420は、五角形の縁から上方に向かって長方形状のものが５個、立設することにより全体として五角筒状に形成されている。なお、立設壁420が立ち上がる位置は、上述した位置に限定されるものではなく、その位置よりも又は下方側に変更してもよいものである。
キューポラ400の屋根440は、５個の三角形構造体40を隙間なく五角錐状に組み合わせたものである。
【００１６】
前記ドーム状構造物10は、三角形構造体40を隙間なく連設することにより環状に形成された層構造部Lを５層、積み重ねた階層構造により形成されている。
前記層構造部Lは、最上部に位置する構造部であって同一の球に内接する５個の三角形構造体40を隙間なく五角錐状に組み合わせた形状の頂上部分としての第１構造部11を有している。この第１構造部11の頂上部分の上面には、五角筒状のキューポラ400が載置されたような状態で固定されている。
【００１７】
なお、上述したものにドーム壁520の頂上部分は限定されるものではなく、キューポラ400の屋根440の下に何も設けず、ドーム壁520の頂上部分は、キューポラ400の部分だけ上方に向かって段差状に凹んだ状態としてもよい。またたとえば５個の三角形構造体40の構造部材であるフレーム部材50だけの骨組みだけが設けられてもよい。
そして、層構造部Lは、第１構造部11の下側に第１構造部11とは隙間なく連設されるものであって同一の球に内接する１５個の三角形構造体40を隙間なく環状に組み合わせた形状の第２構造部12を有している。そして、層構造部Lは、第２構造部12の下側に第２構造部12とは隙間なく連設されるものであって同一の球に内接する２５個の三角形構造体40を隙間なく環状に組み合わせた形状の第３構造部13を有している。そして、層構造部Lは第３構造部13の下側に第３構造部13とは隙間なく連設されるものであって同一の球に内接する３０個の三角形構造体40を隙間なく環状に組み合わせた形状の第４構造部14を有している。そして、層構造部Lは、第４構造部14の下側に第４構造部14とは隙間なく連設されるものであって複数個の三角形構造体40を略環状に組み合わせた形状の第５構造部15を有している。この第５構造部15はコンクリートからなる基礎30（図２参照）の上に固定されている。なお、三角形構造体40の個数は、限定されるものではない。具体的にはたとえば第５構造部15に大きな出入り口や開口窓や当該三角形構造体40の室内を拡張する部屋等を設けるような場合には、隣接する複数（たとえば３個）の三角形構造体40を設けずにそのような機能を有するものを形成することができる。
【００１８】
本実施の形態では、第２構造部12から第５構造部15までにおいて、同一階層の三角形構造体40は、下側に２つの頂点を有するとともに上側に１つの頂点が配置される順三角形構造体42と、下側に１つの頂点を有するとともに上側に２つの頂点が配置される逆三角形構造体41との２種類の三角形構造体40を有する。順三角形構造体42は、三角形の頂点のみで上層と接するものであり、逆三角形構造体41は、三角形の辺をもって上層と接するものである。すなわち、逆三角形構造体41は、いわゆる「逆三角形」となっている。そして、第２構造部12から第５構造部15までの同一階層の層構造部Lとして、順三角形構造体42と逆三角形構造体41とが円周上に交互に配置された交互層構造部20が形成されている（図２参照）。そして、第１構造部11では、５個の順三角形構造体42によって形成され、その上に立設壁420及び屋根440からなるキューポラ400が載置されている。
【００１９】
本実施の形態では、第１構造部11から第４構造部14までは半径Ｒの同一の球に内接する多数の三角形構造体40から構成されている。また、第５構造部15は同一の円柱に内接する多数の三角形構造体40から構成されている。なお、第５構造部15の順三角形構造体42は、図１及び図２に示すように、底辺の位置に相当するフレーム部材50は設けられてない。そこには、図１及び図２の一点鎖線で示される基礎30の上面が配置されている。
前記ドーム状構造物10は、フレーム部材50の端部同士を連結するとともに三角形構造体40の三角形の各頂点に相当する位置にそれぞれ設けられている固定手段70としてのコネクタ71を備えている。
【００２０】
そして、各三角形構造体40の各辺に相当する位置にそれぞれ設けたフレーム部材50と各三角形構造体40の各頂点に相当する位置にそれぞれ設けた固定手段70としてのコネクタ71とから、図１に示すドーム状のトラス構造の骨格が構築されている。そして、このドーム状のトラス骨格がドーム状構造物10の構造躯体となる。
前記コネクタ71の材質は金属であり、フレーム部材50の材質は木質である。もちろん、コネクタ71及びフレーム部材50の材質はこれに限定されるものではなく、木質、金属、合成樹脂等の他の材質や、それらの組合せたものを採用することもできる。
前記第５構造部15の下端に設けられるコネクタ71をベースコネクタ72とする。このベースコネクタ72は、第５構造部15の下端の頂点に集まるフレーム部材50の端部同士を連結するためのものである。また、ベースコネクタ72は、２本のフレーム部材50の端部同士を連結するための部材として機能するとともに、トラス骨格を基礎30に接合するための部材としても機能する。
【００２１】
前記第４構造部14と第５構造部15との境界線上に設けられるコネクタ71をビームコネクタ73とする。前記ビームコネクタ73は、第４構造部14と第５構造部15との境界線上の頂点に集まる６本のフレーム部材50の端部同士を連結するためのものである。
前記ベースコネクタ72及びビームコネクタ73以外のコネクタ71であって、５本のフレーム部材50の端部が集まる位置（５個の三角形構造体40の頂点が集まる位置）に設けられるコネクタ71を５アームコネクタ74とする。この５アームコネクタ74は、その位置に集まる５本のフレーム部材50の端部同士を連結するためのものである。
前記ベースコネクタ72及びビームコネクタ73以外のコネクタ71であって、６本のフレーム部材50の端部が集まる位置（６個の三角形構造体40の頂点が集まる位置）に設けられるコネクタ71を６アームコネクタ75とする。この６アームコネクタ75は、その位置に集まる６本のフレーム部材50の端部同士を連結するためのものである。また、屋根440の五角形の中心部分には、前記５アームコネクタ74が配置され、５個の三角形構造体40を形成する５本のフレーム部材50の端部が集まっている。
【００２２】
図４に示すように、１つの三角形構造体40においては三角形の各辺に相当する位置にそれぞれフレーム部材50が配置されている。そして、そのフレーム部材50の端部同士がコネクタ71で固定されている（なお、図４では、中央の三角形構造体40の上部のコネクタ71のみ記載し、他のコネクタ71の詳細図は省略している）。この図４に示す三角形構造体40は、第３構造部13の三角形構造体40のうちの１つを示すものであって、三角形の頂点に相当する位置に配置されたコネクタ71には、６アームコネクタ75が形成されている。
前記６アームコネクタ75は、ハブ76と、補強平板部78と、アーム77とを有している。
前記ハブ76は、円筒状のものである。前記補強平板部78は、ハブ76の一方の開口を塞ぐように設けられた円板状のものである。前記アーム77は、フレーム部材50を接合するためのものであってハブ76の外周面から外方へ向けて突出する６枚の平板状のものからなる。
【００２３】
前記アーム77は、６アームコネクタ75が配置される三角形の頂点に集まるフレーム部材50と同じ数だけ設けられている。６アームコネクタ75が配置される三角形の頂点には、６本のフレーム部材50が集まる。このため、アーム77は６枚設けられている。また、各アーム77は、各フレーム部材50と１対１に対応する。つまり、１枚のアーム77に１本のフレーム部材50が接合される。なお、本実施の形態では、１枚のアーム77に１本のフレーム部材50を接合しているが、後述するようにフレーム部材50を２枚組み合わせて使用するような場合には、１枚のアーム77に２本のフレーム部材50で１組となったものが接合される。
また、各アーム77は、その端部がハブ76の外周面と補強平板部78との双方に接合されている。これにより、フレーム部材50を１枚のアーム77で支持するのに十分な強度を発揮する。
【００２４】
前記フレーム部材50は、三角形構造体40の各辺に相当する位置に配置されている。そして、このフレーム部材50は長尺方向に直角の断面形状が長方形状であって全体形状が直方体状の木質から形成されている。このフレーム部材50の端部は、前記コネクタ71のアーム77にボルト及びナット（図示せず）で固定されている。そして、三角形の各辺に相当する位置に設けられた３本のフレーム部材50が、コネクタ71により連結されることにより、三角形のトラス骨格となる三角形構造体40が形成されている。
【００２５】
前記フレーム部材50は、本実施の形態では、１枚の長尺状のものをコネクタ71の１枚のアーム77に固定しているが、特に１枚のフレーム部材50に限定されるものではない。たとえば２枚の長尺状のフレーム部材50を１組としたものを１枚のアーム77に固定してもよい。かかる場合には、２枚の長尺状のフレーム部材50の端部で１枚のアーム77を挟み込むようにして、２枚のフレーム部材50の端部を１枚のアーム77の両面側に固定する。なお、固定方法はこれに限定されるものではない。
三角形構造体40の室外側に位置する面には、当該面を覆うシート状の室外側シート材95が貼付されている。この室外側シート材95は、湿気は透過するが水分は通さない透湿防水シートからなるものである。この室外側シート材95は、複数の三角形構造体40の室外側に跨るように貼付されている。
【００２６】
前記三角形構造体40の室内側空間226には、フレーム部材50間に渡されるとともに室外側シート材95と後述する内装仕上げ材220との間に渡されて、フレーム部材50と室外側シート材95と内装仕上げ材220とを支持するブロッキング材140が形成されている。
前記ブロッキング材140は、三角形構造体40の３つのフレーム部材50のうち２つのフレーム部材50間に位置して、両者を連結するものである
前記ブロッキング材140は、具体的には、図４の中央の三角形構造体40内部において、左右に渡されたコーナーブロッキング材162と、上下に渡された２本のスタッドブロッキング材170とがある。
【００２７】
前記コーナーブロッキング材162は、図４の中央の三角形構造体40の上部コーナー付近に位置して左右のフレーム部材50間に水平方向に渡されている。
前記スタッドブロッキング材170は、図４の中央の三角形構造体40の左右に位置して上下のフレーム部材50間に鉛直方向に渡されている。
ブロッキング材140（コーナーブロッキング材162及びスタッドブロッキング材170）の端部と、フレーム部材50との接続は、所定間隔に配置した複数の木ねじにより強固に固定されている。
図４に示す三角形構造体40の中央には、底辺位置のフレーム部材50と、コーナーブロッキング材162とを連結するサブブロッキング材164が縦方向に設けられている。このサブブロッキング材164は、前記三角形構造体40の３つのフレーム部材50のうちコーナーブロッキング材162が連結されていない残りの１つのフレーム部材50（底辺位置のフレーム部材50）の中央と、コーナーブロッキング材162の中央との間を連結しているものである。
【００２８】
各三角形構造体40には室外側シート材95の室外側に位置する面に下地材として固定される木質からなる胴縁（図示せず）が形成されている。この胴縁は、室外側シート材95の室外側に配置され、室外側シート材95を挟みこむようにして室内側のフレーム部材50や、ブロッキング材140や、サブブロッキング材164に固定されている。
各三角形構造体40には、その胴縁の室外側に位置する面に固定されるとともに室外側シート材95との間に胴縁を挟み込んだ状態で室外側シート材95を覆う屋外側面状体90が形成されている。この屋外側面状体90は木質からなる三角形の平板である。この三角形構造体40の内部には、胴縁を挟み込んだ状態で屋外側面状体90と室外側シート材95との間に内部空間100が形成されている。
【００２９】
ここで、三角形構造体40には、フレーム部材50の屋外側を面として覆う外側層と、外側層の室内側を覆う内側層とが形成され、外側層と内側層との間には空気が自由に流れる通気層460が形成されている。本実施の形態では、外側層としての屋外側面状体90と、内側層としての室外側シート材95との間の内部空間100に通気層460が形成されているものである。
フレーム部材50を有する三角形構造体40の室内側には、防湿シート（図示せず）が貼付されることで防湿層が形成されている。防湿シートの室内側には、１つの三角形構造体40の室内側に位置する三角形の面を覆う内装仕上げ材（図示せず）が形成されている。この三角形構造体40の内部には、室外側シート材95と防湿シートとの間に室内側空間226が形成されている。この室内側空間226が、前記ブロッキング材140及びサブブロッキング材164により小空間に分割されている。なお、この小空間同士を連通させて小空間同士の通気を促すためにブロッキング材140及びサブブロッキング材164の表裏に貫通する複数の貫通孔を設けてもよい。
【００３０】
図５に示すように、前記ブロッキング材140及びサブブロッキング材164は、縦方向、横方向又は斜め方向に配置されている。このブロッキング材140は、フレーム部材50間を連結するものである。ブロッキング材140には、コーナーブロッキング材162、スタッドブロッキング材170、横ブロッキング材150がある。サブブロッキング材164は、ブロッキング材140とフレーム部材50との間を連結するものである。このブロッキング材140及びサブブロッキング材164により三角形構造体40の室内側空間226は、複数個の空間に分割されている。
図５に示すように第１構造部11から第４構造部14までの三角形構造体40のブロッキング材140の配置と、第５構造部15の三角形構造体40のブロッキング材140の配置とは異なるように形成されている。
【００３１】
第４構造部14から上の三角形構造体40のブロッキング材140は、所定の三角形構造体40の所定の頂点位置を中心として三角形構造体40を回転させたような配置となっている。
第５構造部15の三角形構造体40のブロッキング材140は、横方向に３本配置されている横ブロッキング材150からなる。さらに、第５構造部15の１つの三角形構造体40では、この横ブロッキング材150間の略中央で上下方向３箇所に配置された下地材としてのブロッキング補助材152が設けられている。なお、図５及び図６の三角形構造体40では、ブロッキング材140を記載していないものがあるが、これらはブロッキング材140の記載を省略しているものであって実際には同様のブロッキング材140が設けられている。
【００３２】
なお、ブロッキング材140やブロッキング補助材152の個数や配置は上述したものに限定されるものではない。
図６に示すように、第５構造部15の三角形構造体40には、１つの三角形構造体40の３つのフレーム部材50のうち左右２つのフレーム部材50を連結するブロッキング材140としての横ブロッキング材150が３個設けられている。
ここで、ブロッキング材140としての横ブロッキング材150の端部と、左右のフレーム部材50との接続は、所定間隔に配置した複数の木ねじにより強固に固定されている。なお、特に図示していないが、これらの木ねじは、横方向に渡した横ブロッキング材150の斜め上方向（順三角形構造体42のときは斜め下方向）からフレーム部材50の表面に垂直方向となるようにねじ込まれている。また、横ブロッキング材150の木ねじのねじ込み位置の表面には、段差状に加工して木ねじ頭部のすわりを安定させるため、フレーム部材50の固定面に平行となるように平らにする座繰り加工が施されている（図示せず）。なお、本実施の形態では、フレーム部材50は三角形構造体40の１辺に１枚のものを使用している。フレーム部材50を僅かな間隔を空けて１辺に２枚使用するような場合には、前記木ねじをねじ込む位置の前記間隔内に当該隙間を埋める木質からなる薄板を２枚のフレーム部材50間に挟ませると好適である。
この横ブロッキング材150も、第１構造部11から第４構造部14のブロッキング材140と同様に、フレーム部材50の構造計算上、座屈防止上有効な位置に配置されている。これにより、三角形構造体40を覆うために従来用いられた構造用面材を不要としている。
【００３３】
この左右のフレーム部材50の左右間にブロッキング材140が渡されていることにより、左右のフレーム部材50の間隔が一定に保たれる。さらに、この三角形構造体40の上下及び左右に隣接する三角形構造体40にも同様にブロッキング材140が設けられている（図６中では隣接する三角形構造体40のブロッキング材140は省略）。結果として、左右のフレーム部材50の長尺方向の中央付近において、断面形状が平板状（長方形状）のフレーム部材50がその弱軸回りに変形することが抑えられ、これらのフレーム部材50の座屈が防止されるものである。
【００３４】
（作用及び効果）
本実施の形態では、図５に示すように、前記フレーム部材50の構造計算上、座屈防止上有効な位置にブロッキング材140が配置されたことによって、前記フレーム部材50間に渡される構造用面材が不要となる。このブロッキング材140は下地材としても使用できる。これにより、ブロッキング材140に構造用面材と下地材との両方の機能を持たせることができ、部材数の減少や、部材の共通化を図ることができる。また、構造用面材が不要となることにより、構造用面材を取り付けるための手間も不要となり、組立作業も簡単にすることができる。結果として製造コストの低減化を図ることができる。
【００３５】
サブブロッキング材164が、図５に示すように、三角形構造体40の３つのフレーム部材50のうちコーナーブロッキング材162が連結されていない残りの１つのフレーム部材50と、コーナーブロッキング材162との間を連結していることにより、両者の間隔が変動することが抑えられて両者が拘束される。これにより、フレーム部材50のみならず、コーナーブロッキング材162の剛性も高めて、フレーム部材50とブロッキング材140とを組み合わせた状態で全体として三角形構造体40の剛性を高めることができる。
【符号の説明】
【００３６】
10  ドーム状構造物                      L  層構造部
11  第１構造部                          12  第２構造部
13  第３構造部                          14  第４構造部
15  第５構造部                          20  交互層構造部
30  基礎                                40  三角形構造体
41  逆三角形構造体                      42  順三角形構造体
50  フレーム部材                        70  固定手段
71  コネクタ                            72  ベースコネクタ
73  ビームコネクタ                      74  ５アームコネクタ
75  ６アームコネクタ                    76  ハブ
77  アーム                              78  補強平板部
90  屋外側面状体                        95  室外側シート材
100  内部空間                          140  ブロッキング材
150  横ブロッキング材                  152  ブロッキング補助材
160  Ｔブロッキング材                  162  コーナーブロッキング材
164  サブブロッキング材                170  スタッドブロッキング材
220  内装仕上げ材                      226  室内側空間
400  キューポラ                        420  立設壁
440  屋根                              460  通気層
520  ドーム壁
【図１】
2014066112.tif 000003
【図２】
2014066112.tif 000004
【図３】
2014066112.tif 000005
【図４】
2014066112.tif 000006
【図５】
2014066112.tif 000007
【図６】
2014066112.tif 000008